(57)【要約】【課題】手作りのようなかるた型カードを、手軽に且つ揃った品質で製造する方法を提供すること。【解決手段】本発明のかるた型カードの製造方法は、注文者に、絵柄と文章とを対にして記入させる記入手順と、注文者に、所望のセット数を指定させる指定手順と、記入された絵柄と文章とを、変換手段を用いて、所定のサイズと所定の色数に調整して、デジタルデータに変換する変換手順と、前記デジタルデータを印刷手段を用いて所定の厚さの第１用紙に印刷する印刷手順と、印刷された第１用紙を、前記第１用紙より厚い第２用紙に貼り付けてニス引き処理する処理手順と、ニス引き処理された第２用紙を、トムソン加工によって、規定のサイズ且つ規定の形に切り分ける切り分け手順と、切り分けられた絵札と読み札を１組分ずつセットにして専用ケースに収納する収納手順と、によって少なくとも１組分のセットを製造して、注文者に納品することを特徴としている。【選択図】図１
2010088605.tif 000002
【特許請求の範囲】
【請求項１】
画像をデジタルデータに変換する変換手段と、デジタルデータを所定の用紙に印刷する印刷手段とを用いることによって、いずれも互いに異なる図柄が表示された複数の絵札と、これらの絵札と一対一に対応していずれも互いに異なる文章が表示された読み札とが、少なくとも１組分のセットになったかるた型カードの製造方法であって、
注文者に、絵柄と文章とを対にして記入させる記入手順と、
注文者に、所望のセット数を指定させる指定手順と、
記入された絵柄と文章とを、変換手段を用いて、所定のサイズと所定の色数に調整して、デジタルデータに変換する変換手順と、
前記デジタルデータを印刷手段を用いて所定の厚さの第１用紙に印刷する印刷手順と、
印刷された第１用紙を、前記第１用紙より厚い第２用紙に貼り付けてニス引き処理する処理手順と、
ニス引き処理された第２用紙を、トムソン加工によって、規定のサイズ且つ規定の形に切り分ける切り分け手順と、
切り分けられた絵札と読み札を１組分ずつセットにして専用ケースに収納する収納手順と、
によって少なくとも１組分のセットを製造して、注文者に納品することを特徴とするかるた型カードの製造方法。
【発明の詳細な説明】
【技術分野】
【０００１】
本発明は、いろはかるたや百人一首のように、いずれも互いに異なる図柄が表示された複数の絵札と、これらの絵札と一対一に対応していずれも互いに異なる文章が表示された読み札とがセットになったかるた型カードの製造方法に関するものである。
【背景技術】
【０００２】
従来の技術においては、かるた型カードを製造する場合には、デザイナー等の担当者がデザインした図柄を用いて絵札が画一的に印刷製造されていた。そして、このようにして印刷製造されたかるた型カードのセットが何種類か製造され、購入希望者は、それらの既製のかるた型カードのセットの中から気に入ったセットを選択して購入している。
【発明の開示】
【発明が解決しようとする課題】
【０００３】
しかし、近年においては、上述したような既製のかるた型カードを購入するより、各自が独自性のある絵柄や、それに対応した文章を作成し、個人的な手作りのかるた型カードを製造したいという要求がでてきている。
特に、学校等において、１つのクラスで、みんなで作成した絵柄や、文章を用いたかるた型カードを作成する場合には、所定の大きさのカードに絵柄を印刷した絵札と、対応した文字札を、クラスの人数分のセット数だけ製作することは、大変に手間のかかることであり、品質のバラツキが発生しやすいという問題などがあった。
【０００４】
そこで、本発明は、上述したような手作りのようなかるた型カードを、手軽に且つ揃った品質で製造することのできる方法を提供することを目的としてなされたものである。
【課題を解決するための手段】
【０００５】
本発明にかかるかるた型カードの製造方法においては、
画像をデジタルデータに変換する変換手段と、デジタルデータを所定の用紙に印刷する印刷手段とを用いることによって、いずれも互いに異なる図柄が表示された複数の絵札と、これらの絵札と一対一に対応していずれも互いに異なる文章が表示された読み札とが、少なくとも１組分のセットになったかるた型カードの製造方法であって、
注文者に、絵柄と文章とを対にして記入させる記入手順と、
注文者に、所望のセット数を指定させる指定手順と、
記入された絵柄と文章とを、変換手段を用いて、所定のサイズと所定の色数に調整して、デジタルデータに変換する変換手順と、
前記デジタルデータを印刷手段を用いて所定の厚さの第１用紙に印刷する印刷手順と、
印刷された第１用紙を、前記第１用紙より厚い第２用紙に貼り付けてニス引き処理する処理手順と、
ニス引き処理された第２用紙を、トムソン加工によって、規定のサイズ且つ規定の形に切り分ける切り分け手順と、
切り分けられた絵札と読み札を１組分ずつセットにして専用ケースに収納する収納手順と、
によって少なくとも１組分のセットを製造して、注文者に納品することを特徴としている。
【発明の効果】
【０００６】
本発明にかかるかるた型カードの製造方法によれば、
注文者に、絵柄と文章とを対にして記入させるので、注文者が個性的な絵柄を作成して、手作りのような独創的なかるた型カードを作成できる。
また、記入された絵柄と文章とを、所定のサイズと所定の色数に調整して、デジタルデータに変換して印刷するので、種々のデジタル画像処理技術を利用することができる。
また、印刷手段では薄い第１用紙に印刷し、それを厚い第２用紙に貼り付けてニス引き処理するので、第１用紙に印刷するときは普通のプリンタなどを印刷手段として利用することができる。
このようにして、所望のセット数のかるた型カードを、手軽に且つ揃った品質で作成することができるのである。
【発明を実施するための最良の形態】
【０００７】
以下に、本発明にかかるかるた型カードの製造方法を、その実施の形態を示した図面を参照して詳細に説明する。
図１において、
１は、注文者が絵柄を記入する絵柄記入欄１Ａと、注文者が絵柄を記入する文章記入欄１Ｂとが、レイアウトされた原稿用紙である。前記絵柄記入欄１Ａの隅には、文章の始めの１文字を記入するための文字記入枠１Ｃが形成されている。
カード製造会社は、このような原稿用紙１を、例えば５０枚セットにして、注文者となる、かるた型カードの作成を希望するクラスの皆に配布する。これは、カード製造会社の社員が直接持参してもよいが、郵送や宅配便を利用しても良い。（図２のステップＳ１）
なお、原稿用紙の形態は、図示したものに限定されるものではなく、絵柄記入欄と文章記入欄とを備えたものであれば、別々の用紙でもよい。
【０００８】
クラスの各人もしくは希望者に、少なくとも１枚ずつ前記原稿用紙１を配布する。クラスの人数が５０人未満の場合には、１人に複数枚配布することができる。
希望者は、原稿用紙１の絵柄記入欄１Ａに絵柄を記入もしくは写真を貼付し、文章記入欄１Ｂに対応する文章を記入する。このとき、文字記入枠１Ｃには、前記文章の最初の１文字を記入する。（図２のステップＳ２）
【０００９】
１セット分の原稿用紙（例えば５０枚）を回収し、必要なセット数を注文用紙に記入する。例えば、クラスの人数が３０人の場合には、３０セットを注文する。
このようにして、１セット分の記入済み原稿用紙と、注文セット数が記入された注文用紙とを揃えて、カード製造会社に渡す。これは、カード製造会社の社員に直接渡しても良いが、郵送や宅配便を利用しても良い。
【００１０】
カード製造会社では、図３に示したように、記入された原稿用紙を、カラースキャナもしくはデジタルカメラなどの変換手段２を用いて読み取って、デジタルデータに変換してパソコン３のハードディスク等の記憶手段４に保存する。
前記変換手段２で読み取る際もしくは読み取った後に、絵柄と文章の画像を、所定のサイズと所定の色数に調整して前記記憶手段４に保存する。（図２のステップＳ３）
１セット分の絵柄と文章の調整が完了した後、オフセット印刷機やプリンタなどの印刷手段５を用いて、普通の上質紙の厚さの第１用紙Ｐ１に絵柄と文章とを印刷する。このとき、必要なセット分の枚数を印刷する。（図２のステップＳ４）
【００１１】
このとき、第１印刷用紙Ｐ１は普通の厚さであるため、かるた型カードとしては薄すぎるので、図４に示したように、かるた型カードとしてふさわしい厚さを持った第２用紙Ｐ２に貼り付ける。
さらに、絵柄などのにじみを防止するためにニス引き処理する。（図２のステップＳ５）
【００１２】
つぎに、所定のサイズの大きさと形状に刃が配置されたトムソンを用いて、第２用紙から所定の大きさと形状のかるた型カードに、一枚ずつ切り分ける。（図２のステップＳ６）
このようにして切り分けられたかるた型カードを、１セット分ずつ揃えて、図５に示したように、プラスチック等の専用ケース６に収納する。（図２のステップＳ７）
このように専用ケースに１セット分ずつ収納されたものを、注文されたセット数だけ揃えて、注文者としての前記クラスに届ける。これは、カード製造会社の社員が直接持参してもよいが、郵送や宅配便を利用しても良い。（図２のステップＳ８）
【実施例１】
【００１３】
実施例１に係るかるた型カードの製造方法では、絵札の方は、手書きの絵柄を用いたが、読み札のほうは、パソコンを用いて所望のフォントの文字で文章を印刷した。
また、実施例２においては、絵札は、写真画像を用いた。
このように、絵柄のほうは、手書きの絵でもよいが、写真やコンピュータグラフィックの画像を用いてもよい。
また、本発明は、かるたにかぎらず、トランプなどの種々のカードの製造に利用することができる。
【図面の簡単な説明】
【００１４】
【図１】本発明にかかるかるた型カードの製造方法の実施の形態を説明する説明図である。
【図２】前記かるた型カードの製造方法の手順を示したフローチャートである。
【図３】前記かるた型カードの製造方法に用いるパソコンの構成例を示した図である。
【図４】前記かるた型カードの製造方法の手順の一部を説明する説明図である。
【図５】前記かるた型カードの製造方法で製造した１セット分のカードを入れた専用ケースの斜視図である。
【符号の説明】
【００１５】
１  原稿用紙
１Ａ  絵柄記入欄
１Ｂ  文章記入欄
１Ｃ  文字記入枠
２  変換手段
３  パソコン
４  記憶手段
５  印刷手段
Ｐ１  第１印刷用紙
Ｐ２  第２用紙
６  専用ケース
【図１】
2010088605.tif 000003
【図２】
2010088605.tif 000004
【図３】
2010088605.tif 000005
【図４】
2010088605.tif 000006
【図５】
2010088605.tif 000007